(57)【要約】【課題】灰皿などの収納容器に干渉されなく遊技球箱を膳板の横列方向に沿って自由に移動可能な遊技機島を提供することを課題とする。【解決手段】本発明の遊技機島は、横列設置された複数台の遊技機とこれらの各該遊技機の下部より前方に突出し横方向に延びる遊技球箱載置用の膳板とを有する遊技機島において、膳板は、前奥方向の中央部に横方向に延びる溝部を有し、該溝部の前端部及び奥端部の横方向に延びる上面が遊技球箱を載置する遊技球箱載置面となり、溝部に上端が遊技球箱載置面より低い廃棄物収納部を有することを特徴とする。【選択図】図１
2007325643.tif 000002
【特許請求の範囲】
【請求項１】
横列設置された複数台の遊技機とこれらの各該遊技機の下部より前方に突出し横方向に延びる遊技球箱載置用の膳板とを有する遊技機島において、
前記膳板は、前奥方向の中央部に横方向に延びる溝部を有し、該溝部の前端部及び奥端部の横方向に延びる上面が前記遊技球箱を載置する遊技球箱載置面となり、
前記溝部に上端が前記遊技球箱載置面より低い廃棄物収納部を有することを特徴とする遊技機島。
【請求項２】
前記溝部の断面は、逆台形状である請求項１に記載の遊技機島。
【請求項３】
前記膳板は前記溝部の底面より低い内部に横方向に延びる廃棄物回収手段を有し、前記廃棄物収納部は該廃棄物回収手段に連通している請求項１に記載の遊技機島。
【請求項４】
前記廃棄物収納部は前記底面から上方に突出して設けられた開口部を備え、該開口部は前記溝部の両側面との間の距離は遊技球の直径よりも小さい請求項１に記載の遊技機島。
【発明の詳細な説明】
【技術分野】
【０００１】
本発明は、複数台の遊技機が横列に設置される遊技機島に関するものである。
【背景技術】
【０００２】
一般的に、多くの客が同時に遊技できるように複数台の遊技機は横列に並んで設置される。例えば、パチンコ遊技機などの遊技機島はほとんど横列に設置されている。また、パチンコ機を含む遊技機島は、これらの各遊技機の下部に沿って前方に突出して設けられた遊技球箱載置用の膳板を備えている。なお、膳板の上部は天板とも言い、天板本体と天板本体に張設した飾り板とからなる。さらに、膳板（天板）の上面には、遊技球箱のほかに喫煙客のための灰皿などが取付けられている。
【発明の開示】
【発明が解決しようとする課題】
【０００３】
上記のように、喫煙客のための灰皿が膳板の上面に取付けられた状態で、同じく膳板の上面に載せられた遊技球箱を膳板の横列方向に沿って移動（スライド）させる際、灰皿のような廃棄物収納容器が障害物となってしまう問題がある。従来の膳板を図８に示す。図８に示すように、遊技球箱２や遊技球などが膳板１から落下しにくいように、膳板１の前方に突条１０１を設置することができる。しかしながら、突条１０１を膳板１の前方に設けても遊技球箱２の底面２１全体を灰皿１３０の上面１３０１より高い位置にすることが不可能である。つまり、突条１０１を設けることにより遊技球箱２の底面２１の一部がリフトされても、遊技球箱２が横方向にスライドされる際灰皿１３０にぶつかることを回避できない。
【０００４】
特に、大量の遊技球を収容した遊技球箱が１０キロ以上になる場合もあり、このような重い遊技球箱を横に移動する際、必ず一旦持ち上げて灰皿を避けて移動しなければならないといった問題がある。また、遊技球箱をスライドさせる際灰皿が遊技球箱に引かれて膳板から落下してしまう恐れもある。
【０００５】
本発明は上記実状に鑑みてなされたものであり、灰皿などの収納容器に干渉されなく遊技球箱を膳板の横列方向に沿って自由に移動可能な遊技機島を提供することを課題とする。
【課題を解決するための手段】
【０００６】
本発明の遊技機島は、横列設置された複数台の遊技機とこれらの各該遊技機の下部より前方に突出し横方向に延びる遊技球箱載置用の膳板とを有する遊技機島において、膳板は、前奥方向の中央部に横方向に延びる溝部を有し、該溝部の前端部及び奥端部の横方向に延びる上面が遊技球箱を載置する遊技球箱載置面となり、溝部に上端が遊技球箱載置面より低い廃棄物収納部を有することを特徴とする。これにより、遊技球箱載置面と溝部の底面との間に所定高さの段差を有することができる。このため、溝部に設けた廃棄物収納部の上端が遊技球箱載置面に接触しなくなる。つまり、遊技球箱載置面に設置された遊技球箱（の下端面）は、灰皿のような廃棄物収納部に干渉されなくなる。従って、遊技球箱を膳板の横方向に沿って移動する際、従来では灰皿のような廃棄物収納部を避けるために遊技球箱を一旦持ち上げて移動させる必要がなくなり、さらに灰皿が遊技球箱に引かれて膳板から落下する恐れもなくなる。このように、本発明の遊技機島は、灰皿などの収納容器に干渉されなく遊技球箱を膳板の横列方向に沿って自由に移動することができる。
【０００７】
また、本発明の遊技機島の膳板の溝部の断面は、逆台形状であることが好ましい。溝部の断面を逆台形状にしたことにより、遊技機島の膳板を掃除する際、雑巾などの掃除用品の先端部が簡単に溝部の隅や角などまで届き、溝部の隅や角などに溜まった埃などのゴミを容易に拭きだすことができる。従って、掃除に手間が掛かることがなく、外観上も美観性を欠くことがない。
【０００８】
また、本発明の遊技機島の膳板は溝部の底面より低い内部に横方向に延びる廃棄物回収手段を有し、廃棄物収納部は該廃棄物回収手段に連通していることが好ましい。廃棄物回収手段を遊技機島に備えることにより、利用者からの廃棄物を速やかに回収することができ、廃棄物が溜まるといった利用者に不快感を与えることを解消できる。例えば、喫煙客のために廃棄物収納部にタバコの灰などのゴミを回収する回収口が設けられ、回収口から投入されたゴミを下方に設けられた廃棄物回収手段で収集して処理することができる。
【０００９】
また、本発明の遊技機島の廃棄物収納部は溝部の底面から上方に突出して設けられた開口部を備え、開口部は溝部の両側面との間の距離は遊技球の直径よりも小さいことが好ましい。溝部の底面に設けられた廃棄物収納部は、底面より高い位置に開口部を備えることにより、溝部の横方向に沿った遊技球の転がりを止めることができる。つまり、溝部に遊技球が入ってきたとき、隣人の領域へ転出してしまうことがない。
【発明の効果】
【００１０】
本発明の遊技機島によれば、膳板には横方向に延びる溝部を設けることにより、遊技球箱載置面と溝部の底面との間に所定高さの段差を有することができる。このため、溝部に設けた廃棄物収納部の上端が遊技球箱載置面に接触しなくなる。つまり、遊技球箱載置面に設置された遊技球箱（の下端面）は、灰皿のような廃棄物収納部に干渉されなくなる。従って、遊技球箱を膳板の横方向に沿って移動する際、従来では灰皿のような廃棄物収納部を避けるために遊技球箱を一旦持ち上げて移動させる必要がなくなり、さらに灰皿が遊技球箱に引かれて膳板から落下することもなくなる。このように、本発明の遊技機島は、灰皿などの収納容器に干渉されなく遊技球箱を膳板の横列方向に沿って自由に移動することができる。
【発明を実施するための最良の形態】
【００１１】
以下、図面を参照しながら、本発明の実施の形態について説明する。なお、遊技機島の形態としてパチンコ装置を例示することができるので、パチンコ装置を用いて以下の説明を行う。
【００１２】
本発明の実施形態のパチンコ装置を図１に示した。図１は本実施形態のパチンコ装置の部分斜視図である。
【００１３】
図１に示すように、本実施形態のパチンコ装置は主にパチンコ機本体（図示なし）、膳板１と、遊技球箱２とで構成される。なお、パチンコ機本体は市販されるものを使用することができる。膳板１の上においてパチンコ機本体が載置されると共に、パチンコ機本体の遊技球出口（図示なし）の前方に遊技球箱２が配置されている。このように、遊技球（図示なし）は遊技球出口から吐出された場合遊技球箱２に入る。
【００１４】
膳板１は、一般的に、床下に土台となる台木（図示なし）と、台木を適当に支持する縦支柱（図示なし）と、縦支柱の上部に水平に設置された天板１００と、天板１００の表面に張設された飾り板１０１とからなる。なお、本発明の特徴の部分を説明しやくするために、以下膳板１は天板１００と飾り板１０１との集合体を指すものとする。
【００１５】
膳板１の一部を構成する天板１００は木材を加工して形成したものである。飾り板１０１はステンレス鋼板などの材料をプレス加工して長尺に形成したものである。図２は天板１００に張設された飾り板１０１の断面図を示している。
【００１６】
図１、または図２に示すように、膳板１には、前奥方向の中央部に横方向に延びる溝部１２が形成される。溝部１２は、膳板１の前端に形成された前端部１１１と、奥側に形成された奥端部１１２と、前端部１１１と奥端部１１２との間に形成された底面１２３とで構成されている。また、前端部１１１の前端部上面１１１１と奥端部１１２の奥端部上面１１２１とで遊技球箱載置面１１が形成される。遊技球箱２（図１に示す）が遊技球箱載置面１１に載置される。
【００１７】
また、底面１２３が遊技球箱載置面１１よりも低い位置に設けられているため、前端部１１１及び奥端部１１２に斜面１２１、１２２がそれぞれ設けられ、底面１２３と遊技球箱載置面１１とを接続している。このように、溝部１２は斜面１２１、１２２、及び底面１２３に囲まれて形成されている。また、図２から分かるように、溝部１２の断面は逆台形状であり、溝部１２の底面１２３と遊技球箱載置面１１との間に段差による空間が形成されている。また、斜面１２１、１２２を所定勾配で設けることにより、溝部１２において形成された角などの隅に雑巾などが入れやすく、簡単に掃除ができる。
【００１８】
また、図１に示すように、底面１２３には廃棄物収納部１３が設けられている。なお、廃棄物収納部１３を灰皿１３０などで構成することができる。さらに図２に示された位置関係から分かるように、遊技球箱載置面１１と溝部１２の底面１２３との間の段差Hを灰皿１３０の高さ以上に設定すれば、遊技球箱載置面１１に乗せられた遊技球箱２の底面２１は灰皿１３０の上端１３０１にぶつかることがない。つまり、灰皿１３０が完全に膳板１の溝部１２で形成された空間内に収容され、遊技球箱２に干渉することがない。このように、溝部１２の上面に遊技球箱載置面１１より低い廃棄物収納部１３を備えることにより、利用者の廃棄物が収納できると共に、遊技球箱載置面１１に載せられた遊技球箱２を自由に膳板１の横方向に沿ってスライドさせることができる。
【００１９】
また、本実施形態例では溝部１２の前端部上面１１１１と奥端部上面１１２１とが同じ水平面に設置されているが、溝部１２の前端部１１１を奥端部１１２よりも若干高く設置することができる。即ち、遊技球箱載置面１１の前側（前端部１１１）を高く、奥側（奥端部１１２）を低くすることができる。このように、前端部上面１１１１を奥端部上面１１２１より若干高い位置に設置することにより、遊技球箱載置面１１が自然に奥側に傾き、遊技球箱２が膳板１の長手方向に直交する方向かつ遊技者が居る方向に落下するのを防止することができる。
【００２０】
また、図３に示すように、膳板１には、底面１２３より低い内部に横方向に延びる廃棄物回収手段１４が設けられており、廃棄物回収手段１４は膳板１の溝部１２の下に設置され、投入口１３９を介して廃棄物収納部１３に連通されている。
【００２１】
図４は膳板１の上面を示すものである。膳板１の上面には、廃棄物収納部１３が所定間隔で溝部１２の中央部に配置される。つまり、廃棄物収納部１３は、並列に設けられた複数台のパチンコ機に対して所定間隔で溝部１２の底面１２３に設けられている。廃棄物収納部１３は溝部１２の底面１２３から上方に突出して設けられた開口部１３１を備えている。さらに、開口部１３１と溝部１２の両側に設けられた斜面１２１、１２２との間のそれぞれの距離が遊技球の直径よりも小さく設定されている。このため、溝部１２に遊技球が転入した場合、廃棄物収納部１３の開口部１３１と斜面１２１、１２２に止められる。つまり、廃棄物収納部１３を介して遊技球が客本人の所定の領域C１から溝部１２に沿って左右側の隣人の領域C２へ転がることができない。
【００２２】
また、廃棄物収納部１３の開口部１３１は投入口１３９の上方に設けられている。図５は開口部１３１の上面を示すものである。開口部の中央部には、近楕円形の開口１３１１が設けられている。開口１３１１は喫煙客の吸殻などの廃棄物が投入口１３９に入るように設けられている。また、開口部１３１には、前側に燃えている煙草を置くための凹部１３１２が設けられている。凹部１３１２は開口部１３の中心に位置する開口１３１１に向けて配置されている。なお、凹部１３１２に煙草が安定した状態で置かれるために、開口１３１１の中心に向けて降下するように所定勾配を有する。このように、凹部１３１２に煙草を置く際、煙草の燃えている端部が開口部１３１の中心に位置する開口１３１１に向き、さらに、勾配に沿って燃えている端部が開口１３１１に傾くようになる。このため、煙草がより安定した状態で置かれることができる。図６、７は廃棄物収納部１３の開口部１３１の断面を示したものである。なお、図７から分かるように、開口部１３１には位置決め突起部１３１３が設けられている。この位置決め突起部１３１３は溝部１２の底面１２３に設けられた位置決め凹部１３８（図３に示す）に嵌めるように設置される。このため、開口部１３１が投入口１３９の上部において所定方向に配置されることができる。つまり、煙草を置くための凹部１３１２が常に客に向く前方に配置される。このため、膳板１が便利性かつ美観性を有することができる。
【００２３】
また、図３に示すように、投入口１３９の下方には廃棄物回収手段１４が設けられている。廃棄物回収手段１４は回収通路１４１と、回収通路１４１内に収納された回収装置１４２とからなる。回収装置１４２は、投入口１３９から落下して回収通路１４１の底部に堆積された廃棄物を移送するワイパー１４２１と、ワイパー１４２１を固定し回転する無端チェーン１４２２と、無端チェーン１４２２を駆動する電動機（図示せず）と無端チェーン１４２２を支持するレール１４２３とからなる。このように、無端チェーン１４２２が電動機に駆動され、膳板１の長手方向に循環往復運動を行う。このため、無端チェーン１４２２に固定されたワイパー１４２１が回収通路１４１の底部に堆積された廃棄物を移送できる。廃棄物が回収通路１４１に沿って進行方向に移送され、回収通路の端部（図示せず）に到達する際、端部より低い位置に設置された回収箱（図示せず）に落下して回収される。ワイパー１４２１は、廃棄物を回収通路１４１の一端に設けられた回収箱に移送して落下させた後、進行方向を転換して回収通路１４１の上方の内部空間を復路として通過し、回収通路の他端に到着後再び反転して循環移動されるようになっている。
【００２４】
なお、開口部１３１、回収通路１４１及び回収箱は高熱を持つ吸殻などに接触する可能性があるため、耐熱性の素材、例えば金属製板で構成されることが望ましい。また、回収箱を水槽などで構成することもできる。
【００２５】
このように、廃棄物回収手段を遊技機島に備えることにより、利用者からの廃棄物を速やかに回収することができ、廃棄物が溜まるといった利用者に不快感を生じることが解消される。
【図面の簡単な説明】
【００２６】
【図１】は本実施形態のパチンコ装置の膳板部分の斜視図である。
【図２】は本実施形態のパチンコ装置の膳板部分の表面に張設された飾り板の断面図である。
【図３】は本実施形態のパチンコ装置の膳板部分の断面図である。
【図４】は本実施形態のパチンコ装置の膳板部分の上面図である。
【図５】本実施形態のパチンコ装置の廃棄物収納部の上面図である
【図６】本実施形態のパチンコ装置の廃棄物収納部のA-A断面図である。
【図７】本実施形態のパチンコ装置の廃棄物収納部のB-B断面図である。
【図８】従来技術におけるパチンコ装置の膳板部分の断面図である。
【符号の説明】
【００２７】
１：膳板  ２：遊技球箱
１００：天板  １０１：飾り板
１１：遊技球箱載置面  １２：溝部  H：溝部の深さ（段差）
１３：廃棄物収納部  １４：廃棄物回収手段
１１１：前端部  １１２：奥端部
１１１１：前端部上面  １１２１：奥端部上面  
１２１：（前端部）斜面  １２２：（奥端部）斜面  １２３：（溝部）底面
１３１：（廃棄物収納部）開口部  １３０：灰皿  １３０１：（灰皿）上端面
１３８：位置決め凹部  １３９：投入口
１３１１：（開口部）開口  １３１２：（開口部）凹部  １３１３：位置決め突起部
１４１：回収通路  １４２：回収装置
１４２１：ワイパー  １４２２：無端チェーン  １４２３：レール
２２：（遊技球箱）上部開口  ２１：（遊技球箱）底面
【図１】
2007325643.tif 000003
【図２】
2007325643.tif 000004
【図３】
2007325643.tif 000005
【図４】
2007325643.tif 000006
【図５】
2007325643.tif 000007
【図６】
2007325643.tif 000008
【図７】
2007325643.tif 000009
【図８】
2007325643.tif 000010